(57)【特許請求の範囲】
【請求項１】
第１表示部を備えている携帯端末と、
第２表示部を備えているとともに所定規格のコード情報を読み取り可能なコード読取装置と、
を備え、
前記携帯端末は、旅券情報に対応させた入力項目の名称を第１の言語で前記第１表示部に表示させるとともに、ユーザ操作により前記入力項目に対応させて前記第１の言語で入力された旅券情報を前記所定規格のコード情報にエンコードして前記第１表示部に表示させる第１制御手段を備え、
前記コード読取装置は、前記第１制御手段により前記第１表示部に表示されている前記所定規格のコード情報を読み取った場合に、当該コード情報をデコードして第２の言語で前記旅券情報を前記第２表示部に表示させる第２制御手段を備え、
前記第２制御手段は、前記第２表示部に前記旅券情報を表示させる際は、前記入力項目に対応する項目の名称が前記第１の言語と前記第２の言語とで並記されるように表示させる、
ことを特徴とする旅券情報入力支援システム。
【請求項２】
前記コード読取装置は、前記第２制御手段により前記第２表示部に表示された前記旅券情報に基づいて、前記第２の言語で記載された免税書類を作成する第３制御手段を備えている、
ことを特徴とする請求項１に記載の旅券情報入力支援システム。
【請求項３】
前記旅券情報は、氏名、国籍、生年月日、在留資格、上陸年月日及び旅券番号のうち、少なくとも何れか一を含む、
ことを特徴とする請求項１または２に記載の旅券情報入力支援システム。
【請求項４】
第１表示部を備えている携帯端末のコンピュータを、旅券情報に対応させた入力項目の名称を第１の言語で前記第１表示部に表示させるとともに、ユーザ操作により前記入力項目に対応させて前記第１の言語で入力された旅券情報を所定規格のコード情報にエンコードして前記第１表示部に表示させる第１制御手段、として機能させる第１プログラムと、
第２表示部を備えているとともに前記所定規格のコード情報を読み取り可能なコード読取装置のコンピュータを、前記第１制御手段により前記第１表示部に表示されている前記所定規格のコード情報を読み取った場合に、当該コード情報をデコードして第２の言語で前記旅券情報を前記第２表示部に表示させる第２制御手段、として機能させる第２プログラムと、
を含み、
前記第２制御手段は、前記第２表示部に前記旅券情報を表示させる際は、前記入力項目に対応する項目の名称が前記第１の言語と前記第２の言語とで並記されるように表示させる、
ことを特徴とするプログラムセット。
【発明の詳細な説明】
【技術分野】
【０００１】
本発明は、旅券情報入力支援システム及びプログラムセットに関する。
【背景技術】
【０００２】
従来、外国人旅行者等の非居住者が日本国内で物品を購入した際に課税される消費税の免除を受けるためには、所定事項を記載した輸出免税物品購入記録票を作成する必要がある。輸出免税物品購入記録票の作成は、所謂、免税店で行われるが、非居住者との対面での処理であり、手間や時間がかかってしまうといった問題がある。
そこで、非居住者が所持する旅券に日本国への入国の際に貼付された上陸許可証に表示された二次元コードを読み取ることで、輸出免税物品購入記録票の作成を簡便に行うためのシステムが提案されている（例えば、特許文献１参照）。
【先行技術文献】
【特許文献】
【０００３】
【特許文献１】特開２０１４−３２４４１号公報
【発明の概要】
【発明が解決しようとする課題】
【０００４】
しかしながら、上記特許文献１等の場合、二次元コードを読み取るための専用の読取装置が必要であることから、高額なシステムの導入が要求される。また、例えば、上陸年月日や在留資格等は、読取装置では読み取ることができないため、免税店のスタッフが入国スタンプを目視により確認したり、非居住者から直接聞き取りを行わなければならず、上記特許文献１のシステムを用いても、依然として手間や時間がかかってしまうといった問題がある。
【０００５】
そこで、本発明の課題は、例えば免税用書類等の書類作成用の旅券情報の入力をより簡便に行うことができるようにすることである。
【課題を解決するための手段】
【０００６】
上記課題を解決するため、本発明に係る旅券情報入力支援システムは、第１表示部を備えている携帯端末と、第２表示部を備えているとともに所定規格のコード情報を読み取り可能なコード読取装置と、を備え、前記携帯端末は、旅券情報に対応させた入力項目の名称を第１の言語で前記第１表示部に表示させるとともに、ユーザ操作により前記入力項目に対応させて前記第１の言語で入力された旅券情報を前記所定規格のコード情報にエンコードして前記第１表示部に表示させる第１制御手段を備え、前記コード読取装置は、前記第１制御手段により前記第１表示部に表示されている前記所定規格のコード情報を読み取った場合に、当該コード情報をデコードして第２の言語で前記旅券情報を前記第２表示部に表示させる第２制御手段を備え、前記第２制御手段は、前記第２表示部に前記旅券情報を表示させる際は、前記入力項目に対応する項目の名称が前記第１の言語と前記第２の言語とで並記されるように表示させる、ことを特徴としている。
また、本発明に係るプログラムセットは、第１表示部を備えている携帯端末のコンピュータを、旅券情報に対応させた入力項目の名称を第１の言語で前記第１表示部に表示させるとともに、ユーザ操作により前記入力項目に対応させて前記第１の言語で入力された旅券情報を所定規格のコード情報にエンコードして前記第１表示部に表示させる第１制御手段、として機能させる第１プログラムと、第２表示部を備えているとともに前記所定規格のコード情報を読み取り可能なコード読取装置のコンピュータを、前記第１制御手段により前記第１表示部に表示されている前記所定規格のコード情報を読み取った場合に、当該コード情報をデコードして第２の言語で前記旅券情報を前記第２表示部に表示させる第２制御手段、として機能させる第２プログラムと、を含み、前記第２制御手段は、前記第２表示部に前記旅券情報を表示させる際は、前記入力項目に対応する項目の名称が前記第１の言語と前記第２の言語とで並記されるように表示させる、ことを特徴としている。
【発明の効果】
【０００７】
本発明によれば、例えば免税用書類等の書類作成用の旅券情報の入力をより簡便に行うことができる。
【図面の簡単な説明】
【０００８】
【図１】本発明を適用した一実施形態の書類作成システムの概略構成を示す図である。
【図２】図１の書類作成システムを構成する携帯端末の機能的構成を示すブロック図である。
【図３】図２の携帯端末に表示される旅券情報入力画面の一例を模式的に示す図である。
【図４】図１の書類作成システムを構成する書類作成装置の機能的構成を示すブロック図である。
【図５】図４の書類作成装置に表示される旅券情報表示画面の一例を模式的に示す図である。
【図６】図４の書類作成装置により作成された免税用書類の一例を模式的に示す図である。
【図７】図２の携帯端末による旅券情報入力処理に係る動作の一例を示すフローチャートである。
【図８】図４の書類作成装置による免税用書類作成処理に係る動作の一例を示すフローチャートである。
【発明を実施するための形態】
【０００９】
以下に、本発明について、図面を用いて具体的な態様を説明する。ただし、発明の範囲は、図示例に限定されない。
【００１０】
図１は、本発明を適用した一実施形態の書類作成システム１００の概略構成を示す図である。
図１に示すように、本実施形態の書類作成システム１００は、携帯端末１と、書類作成装置２とを備えている。
【００１１】
携帯端末１は、例えば、外国人旅行者等の非居住者により所持される端末である。この携帯端末１としては、例えば、スマートフォン、タブレットＰＣ（Personal Computer）、携帯電話機、ＰＤＡ（Personal Digital Assistant）等が挙げられる。
書類作成装置２は、例えば、免税店（輸出物品販売場）に設置される装置である。この書類作成装置２としては、例えば、商品の売上登録を行うＥＣＲ（Electronic Cash Register：電子式金銭登録機）、ＰＣ等が挙げられる。
【００１２】
先ず、携帯端末１について、図２を参照して説明する。
図２は、携帯端末１の機能的構成を示すブロック図である。
【００１３】
図２に示すように、携帯端末１は、ＣＰＵ１０１と、ＲＡＭ１０２と、記憶部１０３と、操作部１０４と、表示部１０５と、通信制御部１０６と、送受話部１０７等を備えている。また、携帯端末１の各部は、バス１０８を介して接続されている。
【００１４】
ＣＰＵ（Central Processing Unit）１０１は、携帯端末１の各部を制御する。すなわち、ＣＰＵ１０１は、記憶部１０３に記憶されているシステムプログラム及びアプリケーションプログラムのうち、指定されたプログラムを読み出し、ＲＡＭ１０２のワークエリアに展開し、当該プログラムに従って各種処理を実行する。その際に、ＣＰＵ１０１は、ＲＡＭ１０２内に各種処理結果を格納させ、必要に応じてその処理結果を表示部１０５に表示させる。
【００１５】
ＲＡＭ（Random Access Memory）１０２は、例えば、揮発性のメモリであり、ＣＰＵ１０１により読み出された各種のプログラムやデータを一時的に格納するワークエリアを有する。
【００１６】
記憶部１０３は、例えば、フラッシュメモリ、ＥＥＰＲＯＭ（Electrically Erasable Programmable Read Only Memory）等により構成され、データ及びプログラムを書き込み及び読み出し可能な記憶部である。また、記憶部１０３は、入力画面表示プログラム１０３ａ、暗号化プログラム１０３ｂ、コード生成プログラム１０３ｃ、コード表示プログラム１０３ｄを記憶している。
【００１７】
入力画面表示プログラム１０３ａは、旅券情報入力画面Ｇ（図３参照）を表示部１０５に表示させる入力画面表示処理に係る機能を実現させるプログラムである。
すなわち、非居住者による操作部１０４の所定操作に基づいて旅券情報入力画面Ｇの表示が指示されると、ＣＰＵ１０１は、記憶部１０３から入力画面表示プログラム１０３ａを読み出して、この入力画面表示プログラム１０３ａに従って、旅券に記載されている各種情報（例えば、氏名、国籍、生年月日、在留資格、上陸年月日及び旅券番号のうち、少なくとも何れか一等）を入力するための旅券情報入力画面Ｇを表示部１０５に表示させる入力画面表示処理を行う。
【００１８】
ここで、旅券情報入力画面Ｇの一例について、図３を参照して説明する。
図３は、携帯端末１に表示される旅券情報入力画面Ｇの一例を模式的に示す図である。
【００１９】
旅券情報入力画面Ｇは、例えば、非居住者の国籍等に応じた使用言語に翻訳され、図３には、英語を使用言語とする国（例えば、米国や英国等）の非居住者向けに翻訳されたものを例示している。
具体的には、図３に示すように、旅券情報入力画面Ｇでは、必須入力項目＜Mandatory fields＞として、氏名を入力するための「Name」の欄、国籍を入力するための「Nationality」の欄、生年月日を入力するための「Date of Birth」の欄、在留資格を入力するための「Status of Residence」の欄、日本国への上陸年月日を入力するための「Date of Landing」の欄、旅券番号を入力するための「PASSPORT No.」の欄が上から順に配置されている。
そして、例えば、非居住者による操作部（入力手段）１０４の所定操作に基づいて、旅券に記載された情報が対応する欄（例えば、非居住者の氏名である「Robert Edison」が「Name」の欄等）に入力される。ここで、撮像部（図示略）を備える携帯端末１では、旅券に記載されている情報を撮影して、ＯＣＲ（Optical character recognition）によりテキスト化したものが入力されても良い。
【００２０】
なお、上記した旅券情報入力画面Ｇは、一例であってこれに限られるものではなく、例えば、非居住者の使用言語とは異なる他の言語（例えば、中国語等）に切り替えるための切替ボタンが配置されていても良い。
また、図示は省略するが、旅券情報入力画面Ｇの所定位置（例えば、下部等）には、例えば、日本国内の免税店に関する案内を表示させるための案内ボタンが配置されていても良い。
【００２１】
暗号化プログラム１０３ｂは、暗号化旅券情報（図示略）を生成する暗号化処理に係る機能を実現させるプログラムである。
すなわち、ＣＰＵ１０１は、記憶部１０３から暗号化プログラム１０３ｂを読み出して、この暗号化プログラム１０３ｂに従って、暗号化処理を行う。ここで、ＣＰＵ１０１は、暗号化プログラム１０３ｂとの協働により、暗号化手段として機能する。
具体的には、旅券情報入力画面Ｇに旅券情報（例えば、非居住者の氏名等）が入力された後、非居住者による操作部１０４の所定操作に基づいて旅券情報の暗号化が指示されると、ＣＰＵ１０１は、入力された旅券情報を所定の暗号化手法を用いて暗号化して、例えば、旅券情報がランダムな文字列に変換された暗号化旅券情報を生成する。
ここで、所定の暗号化手法としては、公知のものであれば如何なるものも適用可能であり、例えば、当該暗号化プログラムに対応付けられた識別情報（アプリＩＤ）を用いる手法が挙げられる。
【００２２】
なお、旅券情報として、旅券情報入力画面Ｇの各欄に入力されている各種情報（例えば、氏名、国籍、生年月日、在留資格、上陸年月日及び旅券番号等）は、例えば、ＸＭＬ（Extensible Markup Language）フォーマットへの整形などの公知の技術を適用して、連結された後に暗号化されても良い。
【００２３】
コード生成プログラム１０３ｃは、旅券情報をエンコードして二次元コードＣを生成するコード生成処理に係る機能を実現させるプログラムである。
すなわち、ＣＰＵ１０１は、記憶部１０３からコード生成プログラム１０３ｃを読み出して、このコード生成プログラム１０３ｃに従って、コード生成処理を行う。ここで、ＣＰＵ１０１は、コード生成プログラム１０３ｃとの協働により、生成手段として機能する。
具体的には、暗号化処理にて暗号化旅券情報（例えば、旅券情報のランダムな文字列等）が生成されると、ＣＰＵ１０１は、生成された暗号化旅券情報をエンコードして二次元コード（コード情報）Ｃを生成する。そして、ＣＰＵ１０１は、生成された二次元コードＣをＲＡＭ１０２に出力して記憶させる。
二次元コードＣは、元の情報（例えば、旅券情報等）を所定の符号化形式（例えば、リードソロモン符号、ゴレイ符号等）に従って符号化したものであり、例えば、画素値「１」の白画素の集合と画素値「０」の黒画素の集合が二次元で規則的に配列されている。
【００２４】
なお、二次元コードＣにエンコードする処理は、公知の技術であるので、ここでは詳細な説明を省略する。
また、コード情報として、二次元コードＣを例示したが、一例であってこれに限られるものではなく、適宜任意に変更可能である。
【００２５】
コード表示プログラム１０３ｄは、二次元コードＣを表示部１０５に表示させるコード表示処理に係る機能を実現させるプログラムである。
すなわち、ＣＰＵ１０１は、記憶部１０３からコード表示プログラム１０３ｄを読み出して、このコード表示プログラム１０３ｄに従って、コード表示処理を行う。ここで、ＣＰＵ１０１は、コード表示プログラム１０３ｄとの協働により、端末側表示制御手段として機能する。
具体的には、非居住者による操作部１０４の所定操作に基づいて二次元コードＣの表示が指示されると、ＣＰＵ１０１は、ＲＡＭ１０２から二次元コードＣを読み出して表示部（端末側表示部）１０５に出力して、表示部１０５に二次元コードＣを表示させる（図１参照）。
【００２６】
操作部１０４は、表示部１０５の表示パネルと一体となって設けられたタッチパネル（図示略）を有している。そして、操作部１０４は、非居住者によるタッチパネルの所定操作に基づいて、所定操作に応じた操作指示をＣＰＵ１０１に出力する。
なお、操作部１０４は、例えば、携帯端末１本体の電源のＯＮ／ＯＦＦに係る電源ボタン、テキストの入力指示に係る数字ボタンや記号ボタン等の各種ボタン（何れも図示略）を備えていても良い。
【００２７】
表示部１０５は、例えば、ＬＣＤ（Liquid Crystal Display）や有機ＥＬ（Electro-Luminescence）ディスプレイ等から構成されている。また、表示部１０５には、ＣＰＵ１０１から出力されて入力される表示信号の指示に従って、各種画面（例えば、旅券情報入力画面Ｇ（図３参照）等）を表示する。
【００２８】
通信制御部１０６は、通信ネットワークを介してデータの送受信を行う。
すなわち、通信制御部１０６は、当該携帯端末１が無線基地局（図示略）との通信で採用している所定の通信方式（例えば、Ｗ−ＣＤＭＡ（Wideband Code Division Multiple Access）方式、ＧＳＭ（Global System for Mobile Communications；登録商標）方式等）に対応する通信プロトコルに従って、この通信方式で設定される通信チャネルにより無線基地局との間で通信アンテナを介してデータの送受信を行う。つまり、通信制御部１０６は、ＣＰＵ１０１から出力されて入力される指示信号に基づいて、通信相手の外部機器との間でデータの送受信を行う。
なお、通信ネットワークは、例えば、携帯端末１を無線基地局やゲートウェイサーバ（図示略）等を介して外部機器と接続する通信ネットワークである。
【００２９】
送受話部１０７は、通信ネットワークを介して接続された外部機器のユーザとの通話を行う。
具体的には、送受話部１０７は、マイク（図示略）から入力される非居住者の送話音声をデータ変換部（図示略）によりＡ／Ｄ変換処理して送話音声データをＣＰＵ１０１に出力するとともに、ＣＰＵ１０１の制御下にて、入力される受話音声データ等の音声データをデータ変換部によりＤ／Ａ変換処理してスピーカ（図示略）から出力する。
【００３０】
次に、書類作成装置２について、図４を参照して説明する。
図４は、書類作成装置２の機能的構成を示すブロック図である。
【００３１】
図４に示すように、書類作成装置２は、ＣＰＵ２０１と、ＲＡＭ２０２と、記憶部２０３と、操作部２０４と、表示部２０５と、読取部２０６と、プリント部２０７等を備えている。また、書類作成装置２の各部は、バス２０８を介して接続されている。
【００３２】
ＣＰＵ２０１は、書類作成装置２の各部を制御する。すなわち、ＣＰＵ２０１は、記憶部２０３に記憶されているシステムプログラム及びアプリケーションプログラムのうち、指定されたプログラムを読み出し、ＲＡＭ２０２のワークエリアに展開し、当該プログラムに従って各種処理を実行する。その際に、ＣＰＵ２０１は、ＲＡＭ２０２内に各種処理結果を格納させ、必要に応じてその処理結果を表示部２０５に表示させる。
【００３３】
ＲＡＭ２０２は、例えば、揮発性のメモリであり、ＣＰＵ２０１により読み出された各種のプログラムやデータを一時的に格納するワークエリアを有する。
【００３４】
記憶部２０３は、例えば、例えば、ＨＤＤ（Hard Disk Drive）、ＳＳＤ（Solid State Drive）等により構成され、データ及びプログラムを書き込み及び読み出し可能な記憶部である。また、記憶部２０３は、旅券情報取得プログラム２０３ａ、復号化プログラム２０３ｂ、旅券情報表示プログラム２０３ｃを記憶している。
【００３５】
旅券情報取得プログラム２０３ａは、旅券情報を取得する旅券情報取得処理に係る機能を実現させるプログラムである。
すなわち、ＣＰＵ２０１は、記憶部２０３から旅券情報取得プログラム２０３ａを読み出して、この旅券情報取得プログラム２０３ａに従って、旅券情報取得処理を行う。ここで、ＣＰＵ２０１は、旅券情報取得プログラム２０３ａとの協働により、取得手段として機能する。
具体的には、例えば、免税店のスタッフによる読取部２０６の所定操作に従って当該読取部２０６により二次元コード（コード情報）Ｃが読み取られると、ＣＰＵ２０１は、読み取られた二次元コードＣをＲＡＭ２０２から読み出して取得し、取得された二次元コードＣをデコードして、旅券情報がランダムな文字列に変換されている暗号化旅券情報を取得する。
なお、二次元コードＣをデコードする処理は、公知の技術であるので、ここでは詳細な説明を省略する。
【００３６】
復号化プログラム２０３ｂは、暗号化旅券情報を復号化する復号化処理に係る機能を実現させるプログラムである。
すなわち、ＣＰＵ２０１は、記憶部２０３から復号化プログラム２０３ｂを読み出して、この復号化プログラム２０３ｂに従って、復号化処理を行う。ここで、ＣＰＵ２０１は、復号化プログラム２０３ｂとの協働により、復号化手段として機能する。
具体的には、旅券情報取得処理にて暗号化旅券情報（例えば、旅券情報のランダムな文字列等）が取得されると、ＣＰＵ２０１は、取得された暗号化旅券情報を、当該暗号化旅券情報の生成に用いられた所定の暗号化手法に対応する復号化手法を用いて復号化して、旅券情報（例えば、非居住者の氏名等）を取得する。
【００３７】
旅券情報表示プログラム２０３ｃは、旅券情報表示画面Ｉを表示部２０５に表示させる旅券情報表示処理に係る機能を実現させるプログラムである。
すなわち、ＣＰＵ２０１は、記憶部２０３から旅券情報表示プログラム２０３ｃを読み出して、この旅券情報表示プログラム２０３ｃに従って、旅券情報表示処理を行う。ここで、ＣＰＵ２０１は、旅券情報表示プログラム２０３ｃとの協働により、装置側表示制御手段として機能する。
具体的には、復号化処理にて旅券情報が復号化されると、ＣＰＵ２０１は、復号化された旅券情報を表示部２０５に出力し、各種情報（例えば、氏名、国籍、生年月日、在留資格、上陸年月日及び旅券番号等）が所定位置に配置された旅券情報表示画面Ｉ（図５参照）を表示部２０５に表示させる。この旅券情報表示画面Ｉの所定位置（例えば、下部右側等）には、例えば、免税店のスタッフによる旅券情報の確認後に、免税用書類Ｐ（図６参照；後述）の作成を指示するための確認ボタンＢ１や、免税用書類Ｐの作成の中止を指示するためのキャンセルボタンＢ２が表示されても良い。
なお、図５に例示した旅券情報表示画面Ｉは、一例であってこれに限られるものではなく、例えば、免税用書類Ｐ（図６参照）と略同等のレイアウトで表示されたものであっても良い。
【００３８】
操作部２０４は、表示部２０５の表示パネルと一体となって設けられたタッチパネル（図示略）を有している。そして、操作部２０４は、免税店のスタッフによるタッチパネルの所定操作に基づいて、所定操作に応じた操作指示をＣＰＵ２０１に出力する。
なお、操作部２０４は、例えば、キーボード等のキー入力部や、マウス等のポインティングデバイス等を有していてもよい。
【００３９】
表示部２０５は、例えば、ＬＣＤや有機ＥＬディスプレイ等から構成されている。また、表示部２０５には、ＣＰＵ２０１から出力されて入力される表示信号の指示に従って、各種画面（例えば、旅券情報表示画面Ｉ等）を表示する。
【００４０】
読取部２０６は、例えば、レーザスキャナやイメージスキャナ等から構成されている。また、読取部２０６は、読取手段として、非居住者により所持される携帯端末１の表示部１０５に表示された二次元コードＣを読み取って、ＲＡＭ２０２に出力する。
【００４１】
プリント部２０７は、例えば、インクジェット方式のプリンタ等から構成されている。また、プリント部２０７は、作成手段として、旅券情報取得処理にて取得された旅券情報を用いて免税用書類（輸出免税物品購入記録票）Ｐ（図６参照）を作成する。
具体的には、免税店では、物品を購入した際に課税される消費税の免除を受けようとする非居住者は旅券を提示する。そして、免税店のスタッフは、非居住者から提示された旅券に記載された各種情報（例えば、氏名、国籍、生年月日、在留資格、上陸年月日及び旅券番号等）と、旅券情報表示処理にて表示部２０５に表示された旅券情報表示画面Ｉ内の旅券情報とを確認する作業を行う。スタッフは、お互いの内容が一致していると判断すると、操作部２０４を操作して免税用書類Ｐの作成を指示する。すなわち、操作部２０４は、受付手段として、表示部２０５に旅券情報が表示された後に、免税店のスタッフによる免税用書類Ｐの作成を指示する操作を受け付ける。そして、免税店のスタッフによる操作部２０４の所定操作に基づいて免税用書類Ｐの作成を指示する操作（例えば、旅券情報表示画面Ｉ内の確認ボタンＢ１の操作等）が行われると、ＣＰＵ２０１は、プリント部２０７を制御して、旅券情報取得処理にて取得された旅券情報を所定位置にプリントした免税用書類Ｐを作成させる。
この免税用書類Ｐを作成する際には、旅券情報取得処理にて取得された旅券情報が必要に応じて日本語に翻訳されても良く、例えば、「Nationality」（国籍）の欄に入力された「U.S.」が「米国」に、また、「Status of Residence」（在留資格）の欄に入力された「Temporary Visitor」が「短期滞在」となる。
【００４２】
なお、図６には、免税用書類Ｐの一例を模式的に示すが、平成２６年の法改正により様式の弾力化及び記載すべき事項の簡素化が図られており、免税用書類Ｐの様式は図６に示すものに限られるものではない。
【００４３】
＜旅券情報入力処理＞
次に、携帯端末１による旅券情報入力処理について、図７を参照して説明する。
図７は、旅券情報入力処理に係る動作の一例を示すフローチャートである。
【００４４】
以下に説明する旅券情報入力処理は、非居住者の日本国への入国後に行われても良いし、入国前に行われても良い。なお、非居住者の日本国への入国前に行われる場合には、予定されている日本国への上陸年月日（入国日）が用いられるものとする。また、非居住者は、例えば、英語を使用言語とする米国人とする。
【００４５】
図７に示すように、先ず、非居住者による操作部１０４の所定操作に基づいて旅券情報入力画面Ｇの表示が指示されると、ＣＰＵ１０１は、記憶部１０３から入力画面表示プログラム１０３ａを読み出して、この入力画面表示プログラム１０３ａに従って、旅券情報入力画面Ｇを表示部１０５に表示させる（ステップＳ１；図３参照）。
【００４６】
続けて、ＣＰＵ１０１は、旅券情報入力画面Ｇにおける「Name」、「Nationality」、「Date of Birth」、「Status of Residence」、「Date of Landing」、「PASSPORT No.」等の各欄に、非居住者による操作部１０４の所定操作に基づいて、旅券に記載された各種情報を入力する（ステップＳ２）。
図３には、「Name」の欄に「Robert Edison」が入力され、「Nationality」の欄に「U.S.」が入力され、「Date of Birth」の欄に「1980/1/1」が入力され、「Status of Residence」の欄に「Temporary Visitor」が入力され、「Date of Landing」の欄に「2015/12/1」が入力され、「PASSPORT No.」の欄に「*******」が入力された状態を模式的に表している。
【００４７】
その後、非居住者による操作部１０４の所定操作に基づいて旅券情報の暗号化が指示されると、ＣＰＵ１０１は、記憶部１０３から暗号化プログラム１０３ｂを読み出して、この暗号化プログラム１０３ｂに従って、入力された旅券情報を所定の暗号化手法を用いて暗号化して、例えば、旅券情報がランダムな文字列に変換された暗号化旅券情報を生成する（ステップＳ３）。
続けて、ＣＰＵ１０１は、記憶部１０３からコード生成プログラム１０３ｃを読み出して、このコード生成プログラム１０３ｃに従って、生成された暗号化旅券情報をエンコードして二次元コードＣを生成する（ステップＳ４）。そして、ＣＰＵ１０１は、生成された二次元コードＣをＲＡＭ１０２に出力して記憶させ（ステップＳ５）、旅券情報入力処理を終了する。
【００４８】
なお、生成された二次元コードＣは、ＲＡＭ１０２以外の記憶手段、例えば、電源を落としても内容が消去されない記憶部１０３に記憶されても良い。
【００４９】
＜免税用書類作成処理＞
次に、書類作成装置２による免税用書類作成処理について、図８を参照して説明する。
図８は、免税用書類作成処理に係る動作の一例を示すフローチャートである。
【００５０】
以下に説明する免税用書類作成処理は、所謂、免税店にて非居住者による物品の購入後に、当該免税店に設置されている書類作成装置２により行われるものとする。
【００５１】
図８に示すように、先ず、読取部２０６は、非居住者により所持される携帯端末１の表示部１０５に表示された二次元コードＣを読み取る（ステップＳ１１）。
具体的には、非居住者が物品を購入した際に課税される消費税の免除を受けようとする場合、当該非居住者による携帯端末１の操作部１０４の所定操作に基づいて、ＣＰＵ１０１は、コード表示プログラム１０３ｄに従って、旅券情報入力処理にて生成された二次元コードＣをＲＡＭ１０２から取得して表示部１０５に表示させる。そして、表示部１０５に二次元コードＣが表示された後に、免税店のスタッフによる読取部２０６の所定操作に基づいて、読取部２０６は、携帯端末１の表示部１０５に表示された二次元コードＣを読み取って、ＲＡＭ２０２に出力する。
【００５２】
次に、ＣＰＵ２０１は、記憶部２０３から旅券情報取得プログラム２０３ａを読み出して、この旅券情報取得プログラム２０３ａに従って、ＲＡＭ２０２から二次元コードＣを取得し、取得された二次元コードＣをデコードして暗号化旅券情報（例えば、旅券情報のランダムな文字列等）を取得する（ステップＳ１２）。
続けて、ＣＰＵ２０１は、記憶部２０３から復号化プログラム２０３ｂを読み出して、この復号化プログラム２０３ｂに従って、取得された暗号化旅券情報を復号化して、旅券情報（例えば、非居住者の氏名等）を取得する（ステップＳ１３）。
そして、ＣＰＵ２０１は、記憶部２０３から旅券情報表示プログラム２０３ｃを読み出して、この旅券情報表示プログラム２０３ｃに従って、復号化された旅券情報を表示部２０５に出力し、各種情報（例えば、氏名、国籍、生年月日、在留資格、上陸年月日及び旅券番号等）が所定位置に配置された旅券情報表示画面Ｉ（図５参照）を表示部２０５に表示させる（ステップＳ１４；旅券情報表示処理）。
【００５３】
その後、ＣＰＵ２０１は、表示部２０５に旅券情報表示画面Ｉが表示された後に、免税店のスタッフによる操作部２０４の所定操作に基づいて免税用書類Ｐの作成が指示されたか否かを判定する（ステップＳ１５）。
すなわち、免税店では、物品を購入した際に課税される消費税の免除を受けようとする非居住者は旅券を提示し、免税店のスタッフは、非居住者から提示された旅券に記載された各種情報と、旅券情報表示処理にて表示部２０５に表示された旅券情報表示画面Ｉの各種情報とを確認する作業を行う。そして、スタッフは、お互いの内容が一致していると判断すると、旅券情報表示画面Ｉ内の確認ボタンＢ１を操作（例えば、タッチパネルを接触操作等）して、免税用書類Ｐの作成を指示する。
ステップＳ１５にて、免税用書類Ｐの作成が指示されたと判定されると（ステップＳ１５；ＹＥＳ）、ＣＰＵ２０１は、旅券情報取得処理にて取得された旅券情報を必要に応じて日本語に翻訳して所定位置にプリントし、且つ、例えば、所轄税務署、納税地、販売所所在地、販売者氏名、購入年月日、品名、数量、単価、販売価格等の所定事項を所定位置にプリントした免税用書類Ｐをプリント部２０７に作成させる（ステップＳ１６；図６参照）。
【００５４】
一方、ステップＳ１５にて、免税用書類Ｐの作成が指示されていないと判定されると（ステップＳ１５；ＮＯ）、ＣＰＵ２０１は、ステップＳ１６の処理をスキップして、免税用書類作成処理を終了する。例えば、免税店のスタッフにより旅券情報表示画面Ｉ内のキャンセルボタンＢ２が操作されると、ＣＰＵ２０１は、免税用書類作成処理を終了する。
【００５５】
以上のように、本実施形態の書類作成システム１００によれば、免税店の書類作成装置２は、非居住者の携帯端末１に表示された二次元コードＣを読み取って、読み取られた二次元コードＣをデコードして旅券情報（例えば、氏名、国籍、生年月日、在留資格、上陸年月日及び旅券番号等）を取得し、取得された旅券情報を表示部２０５に表示させる。そして、旅券情報が表示された後に、表示された旅券情報と、非居住者から提示された旅券に記載された情報とが免税店のスタッフにより確認された後、免税用書類Ｐの作成が指示されると、取得された旅券情報を用いて免税用書類Ｐを作成するので、例えば、専用の読取装置を具備する高額なシステムの導入が不要となり、免税用書類Ｐの作成をより安価に行うことができる。さらに、非居住者に旅券情報がエンコードされた二次元コードＣを事前に用意して貰うことで、従来免税店のスタッフが旅券をめくりながら該当する確認項目を探し出し、内容を確認しながら入力や転記していた処理を簡略化し、二次元コードＣをデコードして取得した旅券情報が旅券に記載されている情報と一致しているか否かの確認作業のみを行うだけで良くなり、免税店にて免税用書類Ｐの作成にかかる手間や時間を軽減させて、当該免税用書類Ｐの作成をより簡便に行うことができる。
【００５６】
また、携帯端末１にて、入力された旅券情報を所定の暗号化手法を用いて暗号化して暗号化旅券情報を生成し、生成された暗号化旅券情報をエンコードして二次元コードＣを生成しておくことで、書類作成装置２では、読取部２０６により読み取られた二次元コードＣをデコードして暗号化旅券情報を取得しても、取得された暗号化旅券情報は暗号化に用いられた所定の暗号化手法に対応する復号化手法を用いなければ復号化して旅券情報を取得することができず、旅券情報のセキュリティ性をより向上させることができる。
【００５７】
なお、本発明は、上記実施形態に限定されることなく、本発明の趣旨を逸脱しない範囲において、種々の改良並びに設計の変更を行っても良い。
例えば、上記実施形態にあっては、二次元コード（コード情報）Ｃが非居住者の携帯端末１に表示されるようにしたが、一例であってこれに限られるものではなく、二次元コードＣが紙媒体に表されたものであっても良い。すなわち、非居住者が、例えば、出国前の自宅や空港、入国後の空港や宿泊先などでＰＣを操作して二次元コードＣを生成し、生成された二次元コードＣを紙媒体に印刷する。そして、二次元コードＣが印刷された紙媒体を非居住者が免税店にて提示するようにしても良い。これにより、携帯端末１を所持していない非居住者であっても、上記実施形態の書類作成システム１００の書類作成装置２を利用して、略同等の効果を得ることができる。
【００５８】
また、上記実施形態にあっては、携帯端末１にて、旅券情報を所定の暗号化手法を用いて暗号化して暗号化旅券情報を生成するようにしたが、必ずしも旅券情報の暗号化を行う必要はない。すなわち、携帯端末１が暗号化処理を行うか否かは適宜任意に変更可能であり、これに対応させて、書類作成装置２にて、暗号化旅券情報を復号化する復号化処理を行うか否かも適宜任意に変更可能である。
【００５９】
さらに、上記実施形態にあっては、二次元コードＣが旅券情報の有効期限（例えば、日本国での滞在期限日等）を含んで構成されても良く、書類作成装置２による旅券情報取得処理にて取得された旅券情報が有効期限内である場合に、プリント部２０７が当該旅券情報を用いて免税用書類Ｐを作成するようにしても良い。
【００６０】
また、上記実施形態にあっては、旅券情報入力処理にて入力された旅券情報（例えば、氏名、国籍、生年月日、在留資格、上陸年月日及び旅券番号等）が、携帯端末１の記憶部１０３やクラウド上の記憶手段（図示略）等に記憶されても良く、これにより、例えば、「Name」、「Nationality」、「Date of Birth」、「PASSPORT No.」等は、次回以降の入国の際にも利用可能となる。
なお、セキュリティの問題、記憶部１０３やクラウド上の記憶手段の容量の問題等を考慮し、旅券情報をエンコードした二次元コードＣが記憶されても良く、この場合には、二次元コードＣから読み取られた項目を入力の初期値とすることで、再入力の手間を省くことができる。
【００６１】
さらに、旅券に記載された旅券情報をエンコードして二次元コードＣを生成し、非居住者が免税店にて携帯端末１を操作して二次元コードＣを表示するようにしたが、例えば、旅券情報をエンコードせずにテキストとして表示しても良い。この場合には、免税店のスタッフが、非居住者の旅券の情報記載ページをめくり検索しながら目視確認して確認項目の入力や転記を行っていた処理を、表示されたデータの入力や転記と旅券の記載項目のめくり検索による確認とに分離して行うことができ、旅券に記載されている情報の確認作業の負荷を低減することができる。
また、携帯端末１では、旅券情報入力処理に加えて、日本国での免税販売の条件や出国時の手続きの説明を表示可能としても良く、これにより、非居住者が事前に日本国での免税販売の条件や出国時の手続きを確認することが可能となり、免税店でのスタッフから非居住者への説明を省略、或いは、簡略化することができる。
【００６２】
さらに、上記実施形態にあっては、書類作成装置２にて、プリント部２０７が免税用書類Ｐを作成するようにしたが、例えば、旅券情報や所定事項が記入された免税用書類Ｐを電子データ化しても良い。そして、書類作成装置２は、免税用書類Ｐの電子データを通信ネットワークを介して空港内等の税関の端末に送信するようにしても良い。
【００６３】
加えて、上記した書類作成システム１００、携帯端末１、書類作成装置２の構成は、一例であってこれらに限られるものではない。
例えば、書類作成装置２にあっては、読取手段、取得手段、表示制御手段、受付手段及び作成手段としての全ての機能が、ＣＰＵ２０１により所定のプログラム等が実行されることにより実現されても良いし、また、所定のロジック回路により実現されても良い。
【００６４】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【００６５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
免税用書類を作成する書類作成装置であって、
非居住者の所持品に表されたコード情報を読み取る読取手段と、
前記読取手段により読み取られたコード情報をデコードして旅券情報を取得する取得手段と、
前記取得手段により取得された旅券情報を表示部に表示させる表示制御手段と、
前記旅券情報が表示された後に、前記免税用書類の作成を指示する操作を受け付ける受付手段と、
前記受付手段により前記免税用書類の作成を指示する操作が受け付けられると、前記取得手段により取得された旅券情報を用いて前記免税用書類を作成する作成手段と、
を備えたことを特徴とする書類作成装置。
＜請求項２＞
前記コード情報は、旅券情報を所定の暗号化手法を用いて暗号化した暗号化旅券情報をエンコードした情報であり、
前記取得手段は、前記読取手段により読み取られた前記コード情報をデコードして前記暗号化旅券情報を取得し、
前記取得手段により取得された前記暗号化旅券情報を前記所定の暗号化手法に対応する復号化手法を用いて復号化して、旅券情報を取得する復号化手段を更に備えることを特徴とする請求項１に記載の書類作成装置。
＜請求項３＞
前記コード情報には、旅券情報の有効期限が含まれ、
前記作成手段は、前記取得手段により取得された旅券情報が有効期限内である場合に、当該旅券情報を用いて前記免税用書類を作成することを特徴とする請求項１又は２に記載の書類作成装置。
＜請求項４＞
前記旅券情報は、氏名、国籍、生年月日、在留資格、上陸年月日及び旅券番号のうち、少なくとも何れか一を含むことを特徴とする請求項１〜３の何れか一項に記載の書類作成装置。
＜請求項５＞
非居住者により所持される携帯端末と、免税用書類を作成する書類作成装置とを備えた書類作成システムであって、
前記携帯端末は、
非居住者による所定操作に基づいて、旅券に記載された旅券情報を入力する入力手段と、
前記入力手段により入力された旅券情報をエンコードしてコード情報を生成する生成手段と、
前記生成手段により生成されたコード情報を端末側表示部に表示させる端末側表示制御手段と、
を備え、
前記書類作成装置は、
前記端末側表示部に表示されたコード情報を読み取る読取手段と、
前記読取手段により読み取られたコード情報をデコードして旅券情報を取得する取得手段と、
前記取得手段により取得された旅券情報を装置側表示部に表示させる装置側表示制御手段と、
前記旅券情報が表示された後に、前記免税用書類の作成を指示する操作を受け付ける受付手段と、
前記受付手段により前記免税用書類の作成を指示する操作が受け付けられると、前記取得手段により取得された旅券情報を用いて前記免税用書類を作成する作成手段と、
を備えたことを特徴とする書類作成システム。
＜請求項６＞
前記携帯端末は、
前記入力手段により入力された旅券情報を所定の暗号化手法を用いて暗号化して暗号化旅券情報を生成する暗号化手段を更に備え、
前記生成手段は、前記暗号化手段により生成された前記暗号化旅券情報をエンコードしてコード情報を生成し、
前記書類作成装置は、
前記取得手段は、前記読取手段により読み取られた前記コード情報をデコードして前記暗号化旅券情報を取得し、
前記取得手段により取得された前記暗号化旅券情報を前記所定の暗号化手法に対応する復号化手法を用いて復号化して、旅券情報を取得する復号化手段を更に備えることを特徴とする請求項５に記載の書類作成システム。
＜請求項７＞
免税用書類を作成する書類作成装置のコンピュータを、
非居住者により所持される携帯端末に表示されたコード情報を読み取る読取手段、
前記読取手段により読み取られたコード情報をデコードして旅券情報を取得する取得手段、
前記取得手段により取得された旅券情報を表示部に表示させる表示制御手段、
前記旅券情報が表示された後に、前記免税用書類の作成を指示する操作を受け付ける受付手段、
前記受付手段により前記免税用書類の作成を指示する操作が受け付けられると、前記取得手段により取得された旅券情報を用いて前記免税用書類を作成する作成手段、
として機能させることを特徴とするプログラム。
【符号の説明】
【００６６】
１００    書類作成システム
１        携帯端末
１０１    ＣＰＵ
１０３    記憶部
１０３ａ  入力画面表示プログラム
１０３ｂ  暗号化プログラム
１０３ｃ  コード生成プログラム
１０３ｄ  コード表示プログラム
１０４    操作部
１０５    表示部
２        書類作成装置
２０１    ＣＰＵ
２０３    記憶部
２０３ａ  旅券情報取得プログラム
２０３ｂ  復号化プログラム
２０３ｃ  旅券情報表示プログラム
２０４    操作部
２０５    表示部
２０６    読取部
２０７    プリント部
Ｃ        二次元コード
Ｇ        旅券情報入力画面
Ｉ        旅券情報表示画面
Ｐ        免税用書類
【図１】
0006766361.tif 000002
【図２】
0006766361.tif 000003
【図３】
0006766361.tif 000004
【図４】
0006766361.tif 000005
【図５】
0006766361.tif 000006
【図６】
0006766361.tif 000007
【図７】
0006766361.tif 000008
【図８】
0006766361.tif 000009